【手続補正書】
【提出日】平成16年4月8日(2004.4.8)
【手続補正１】
【補正対象書類名】明細書
【補正対象項目名】特許請求の範囲
【補正方法】変更
【補正の内容】
【特許請求の範囲】
【請求項１】
複数の監視カメラと、これに対応する複数のセンサと、複数のテレビモニターと、来客対応に使用されるテレビドアホンとが接続されて、前記複数の監視カメラからの映像・音声信号を切替えて前記テレビモニター及び前記テレビドアホンに出力するようにしたカメラコントロール装置であって、前記センサの検出信号により前記テレビドアホンに起動信号を送出する起動送出手段と、前記起動送出手段が送出する起動信号を検出して前記テレビドアホンに映像・音声信号を送出する映像・音声出力手段とを備えたことを特徴とするカメラコントロール装置。
【請求項２】
テレビドアホンが起動しているか否かを判別する起動判別手段を備え、前記起動送出手段は、前記起動判別手段により前記テレビドアホンが起動していないと判別した場合には一定値のインピーダンスでの起動信号を送出し、前記起動判別手段により前記テレビドアホンが起動していると判別した場合には、前記映像・音声出力手段が送出する映像信号のブランキング部分に起動信号を乗せて送出することを特徴とする請求項１記載のカメラコントロール装置。
【請求項３】
前記起動送出手段が起動信号を出力した後に、前記起動判別手段により前記テレビドアホンが起動していないと判別した場合、前記映像・音声出力手段が映像・音声信号を前記テレビドアホンに送出しないように制御する制御手段を備えたことを特徴とする請求項２記載のカメラコントロール装置。
【手続補正２】
【補正対象書類名】明細書
【補正対象項目名】０００９
【補正方法】変更
【補正の内容】
【０００９】
また、上記とは別に、センサ２ａ，２ｂ，２ｃ，２ｄのうちの１つでもその周囲に起きた何事かの異常状態によって起動すると、それを検出したセンサ起動検出回路７は、センサ２ａ，２ｂ，２ｃ，２ｄのうちどれが起動したかを制御回路８に知らせる。知らせを受けた起動回路８は起動したセンサが例えば２ａである場合にはセンサ２ａに対応している監視カメラ１ａの映像・音声信号だけを固定出力するように、映像・音声切替回路５を動作させ、映像・音声出力回路６ａに固定出力信号を送出する。固定出力された信号を受けた映像・音声出力回路６ａは通常のとおりテレビモニター４ａに映像・音声信号を出力し、センサ起動したセンサ２ａの周囲の映像のみを写しだすことになる。また、音声についても、テレビモニター４ａから聞くことができる。


【手続補正３】
【補正対象書類名】明細書
【補正対象項目名】００１２
【補正方法】変更
【補正の内容】
【００１２】
【課題を解決するための手段】
本発明は、上記目的に鑑み、複数の監視カメラと、これに対応する複数のセンサと、複数のテレビモニターとが接続されて、前記複数の監視カメラからの映像・音声信号を切替えて前記テレビモニターに出力するようにしたカメラコントロール装置に、前記センサの検出信号によりテレビドアホンに起動信号を送出する起動送出手段と、前記起動送出手段が送出する起動信号を検出して前記テレビドアホンに映像・音声信号を送出する映像・音声出力手段とを設けることにより、テレビドアホンの接続を可能とし、センサ起動検出後、テレビドアホンに起動をかけ、着信音を鳴動させると共に、検出センサに応じた監視カメラの映像をテレビドアホンのディスプレイに映し出すように構成したものである。


【手続補正４】
【補正対象書類名】明細書
【補正対象項目名】００１４
【補正方法】変更
【補正の内容】
【００１４】
【発明の実施の形態】
請求項１に記載の本発明は、複数の監視カメラと、これに対応する複数のセンサと、複数のテレビモニターと、来客対応に使用されるテレビドアホンとが接続されて、前記複数の監視カメラからの映像・音声信号を切替えて前記テレビモニター及び前記テレビドアホンに出力するようにしたカメラコントロール装置であって、前記センサの検出信号により前記テレビドアホンに起動信号を送出する起動送出手段と、前記起動送出手段が送出する起動信号を検出して前記テレビドアホンに映像・音声信号を送出する映像・音声出力手段とを備えて構成して、センサ起動により起動信号と映像・音声信号をテレビドアホンに送出するので、テレビドアホンのディスプレイにより、監視カメラの映像及び音声を確認することができる。


【手続補正５】
【補正対象書類名】明細書
【補正対象項目名】００１５
【補正方法】変更
【補正の内容】
【００１５】
請求項２に記載の本発明は、請求項１記載のカメラコントロール装置において、テレビドアホンが起動しているか否かを判別する起動判別手段を備え、前記起動送出手段が、前記起動判別手段により前記テレビドアホンが起動していないと判別した場合には一定値のインピーダンスでの起動信号を送出し、前記起動判別手段により前記テレビドアホンが起動していると判別した場合には、前記映像・音声出力手段が送出する映像信号のブランキング部分に起動信号を乗せて送出するように構成するもので、最初に作動したセンサとは異なるセンサが、テレビドアホンの起動中に作動した場合にも、テレビドアホンに呼出信号を送出し、呼出音を鳴動させることができる。


【手続補正６】
【補正対象書類名】明細書
【補正対象項目名】００１６
【補正方法】変更
【補正の内容】
【００１６】
請求項３に記載の本発明は、請求項２記載のカメラコントロール装置において、前記起動送出手段が起動信号を出力した後に、前記起動判別手段により前記テレビドアホンが起動していないと判別した場合、前記映像・音声出力手段が映像・音声信号を前記テレビドアホンに送出しないように制御する制御手段を備えて構成するもので、テレビドアホンが接続されていない場合には、不要な回路が動作せず、消費電力を削減するという作用を有する。


【手続補正７】
【補正対象書類名】明細書
【補正対象項目名】００１９
【補正方法】変更
【補正の内容】
【００１９】
次に、上記のように構成する本発明の実施の形態におけるカメラコントロール装置の動作について説明する。図１において、センサ１２ａ，１２ｂ，１２ｃ，１２ｄのうち、例えば、センサ１２ａが作動すると、センサ検出回路１７がそれを検出し、制御回路１８にセンサ１２ａの作動状態を伝えると、制御回路１８はカメラＩ／Ｆ回路１５から出力されてくる映像・音声信号の中で監視カメラ１１ａの映像・音声信号をＴＶＤ映像・音声出力回路２２と各モニター出力回路１６ａ，１６ｂ，１６ｃ，１６ｄに出力するように、ビデオスイッチ２３やアナログスイッチ２４を制御すると共に、起動判別回路２１を介してテレビドアホン１０の起動状態を確認し、ＴＶＤ起動送出回路２０を介して、一定値のインピーダンスで起動信号を出力させる。


【手続補正８】
【補正対象書類名】明細書
【補正対象項目名】００２５
【補正方法】変更
【補正の内容】
【００２５】
【発明の効果】
以上のように、本発明によれば、カメラコントロール装置を一般住宅や店舗併用住宅など専用のテレビモニターが不要もしくは価格的かつスペース的に無理な場合でも、テレビドアホンシステムを組み合わせることができ、この組み合わせにより異常時の起動・喚起と監視映像をテレビドアホンで確認でき、このために、専用のテレビモニターを導入する必要が無く、かつテレビドアホンで来客対応が可能となる安価なシステムが実現できるという有利な効果を発揮することができる。